(57)【要約】【課題】ヒートポンプを熱源として利用する給湯装置において、設置スペース及び電気容量の低減を図る。【解決手段】給湯装置（1）は、第１冷媒回路（11）、第２冷媒回路（9）、第１蓄熱ユニット（39）、第２蓄熱ユニット（37）、及び給湯回路（13）を備えている。第１蓄熱ユニット（39）には、低融点の第１潜熱蓄熱材が収容されている。第２蓄熱ユニット（37）には、高融点の第２潜熱蓄熱材が収容されている。第１冷媒回路（11）の第１蓄熱熱交換器（47）は、第１蓄熱ユニット（39）に設けられている。第２冷媒回路（9）の第２蓄熱熱交換器（41）は、第２蓄熱ユニット（37）に設けられている。【選択図】図１
2006292365.tif 000002
【特許請求の範囲】
【請求項１】
水を流通させる給湯回路（13）と、
蓄熱を利用して前記給湯回路（13）に第１の温度の水を供給する第１蓄熱部（39;81）と、蓄熱を利用して前記給湯回路（13）に前記第１温度よりも高い第２温度の水を供給する第２蓄熱部（37;82）とを有する蓄熱手段（7）と、
圧縮機（31）と前記第１蓄熱部（39;81）を加熱する凝縮器（47）と減圧機構（23,25）と蒸発器（27）とを有する第１の冷媒回路（11）と、圧縮機（31）と前記第２蓄熱部（37;82）を加熱する凝縮器（41）と減圧機構（23,25）と蒸発器（27）とを有する第２の冷媒回路（9）とを備えるヒートポンプとを備え、
前記第１冷媒回路（11）の冷媒の凝縮温度が前記第２冷媒回路（9）の冷媒の凝縮温度よりも低く設定されている給湯装置。
【請求項２】
請求項１に記載の給湯装置であって、
第１蓄熱部は、第１の融点を有する第１潜熱蓄熱材を備える第１蓄熱ユニット（39）からなり、
第２蓄熱部は、前記第１融点よりも高温の第２融点を有する第２潜熱蓄熱材を備える第２蓄熱ユニット（37）からなり、
前記第１冷媒回路（11）の凝縮器（47）は、前記第１蓄熱ユニット（39）に設けられ、
前記第２冷媒回路（9）の凝縮器（41）は、前記第２蓄熱ユニット（37）に設けられ、
給湯回路（13）は、前記第１蓄熱ユニット（39）に設けられた第１熱回収熱交換器（49）と、前記第２蓄熱ユニット（37）に設けられた第２熱回収熱交換器（43）とを備えている給湯装置。
【請求項３】
請求項２に記載の給湯装置であって、
給湯回路（13）において、第２熱回収熱交換器（43）は第１熱回収熱交換器（49）の下流側に設けられている給湯装置。
【請求項４】
請求項１に記載の給湯装置であって、
第１蓄熱部は、第１温度の水を貯留する第１温水タンク（81）からなり、
第２蓄熱部は、第１温度よりも高温の第２温度の水を貯留する第２温水タンク（82）からなり、
前記第１冷媒回路（11）の凝縮器（47）は、前記第１温水タンク（81）に貯留される水を加熱するように構成され、
前記第２冷媒回路（9）の凝縮器（41）は、前記第２温水タンク（82）に貯留される水を加熱するように構成され、
給湯回路（13）には、前記第１温水タンク（81）及び前記第２温水タンク（82）のうちの一方又は両方の温水が供給される給湯装置。
【発明の詳細な説明】
【技術分野】
【０００１】
本発明は、給湯装置に関する。
【背景技術】
【０００２】
従来より、特許文献１及び２に開示されているように、熱源としてヒートポンプ式の冷媒回路を利用する給湯装置が知られている。ヒートポンプを熱源とする給湯装置は、ＣＯＰが約３程度と高いため、ガスや電気ヒータを熱源とする給湯装置と異なり、省エネルギー運転が可能である。
【特許文献１】特開平９−４９６６８号公報
【特許文献２】特開平１０−１１１０１８号公報
【発明の開示】
【発明が解決しようとする課題】
【０００３】
しかし、いわゆるガス瞬間湯沸かし器のように利用時に即座に出湯するためには、熱源として大容量のヒートポンプが必要となる。例えば、冬季のシャワー用に給湯を行う場合、仮に水温７℃の水から毎分１２リットルの４２℃の温水を生成しようとすると、熱源ヒートポンプには約３０ｋＷの能力が必要となる。そのため、熱源として、１０馬力相当のヒートポンプを用意しなければならない。
【０００４】
しかし、大容量のヒートポンプでは、室外機が大きくなるため、給湯装置の大型化を招く。室外機が大きいと、一般住宅への設置が著しく困難となる。また、必要電気容量も３０Ａを大幅に超えることになり、一般住宅に設置するためには受電設備の変更が必要となる。
【０００５】
一方、ヒートポンプの容量を抑えるために、給湯装置内に貯湯タンクを設け、この貯湯タンクに予め温水を貯めておき、給湯時に当該温水を供給することが考えられる。このように貯湯タンクから温水を供給することにより、高温の温水を即座に供給することが可能となる。
【０００６】
しかし、貯湯タンクの容量が十分に大きくないと、１日の給湯負荷を賄うことはできない。そのため、１日の給湯負荷を賄えるような大型の貯湯タンクを設置するために、十分な大きさの設置スペースが必要となる。したがって、一般住宅に設置する際には、設置場所の制約が多く、また、スペースの制約から設置が不可能な場合もある。
【０００７】
本発明は、かかる点に鑑みてなされたものであり、その目的とするところは、ヒートポンプを熱源として利用する給湯装置において、設置スペース及び電気容量の低減を図ることにある。
【課題を解決するための手段】
【０００８】
請求項１に記載の給湯装置は、水を流通させる給湯回路（13）と、蓄熱を利用して前記給湯回路（13）に第１の温度の水を供給する第１蓄熱部（39;81）と、蓄熱を利用して前記給湯回路（13）に前記第１温度よりも高い第２温度の水を供給する第２蓄熱部（37;82）とを有する蓄熱手段（7）と、圧縮機（31）と前記第１蓄熱部（39;81）を加熱する凝縮器（47）と減圧機構（23,25）と蒸発器（27）とを有する第１の冷媒回路（11）と、圧縮機（31）と前記第２蓄熱部（37;82）を加熱する凝縮器（41）と減圧機構（23,25）と蒸発器（27）とを有する第２の冷媒回路（9）とを備えるヒートポンプとを備え、前記第１冷媒回路（11）の冷媒の凝縮温度が前記第２冷媒回路（9）の冷媒の凝縮温度よりも低く設定されているものである。
【０００９】
上記給湯装置は、蓄熱手段を有していることから、蓄熱を利用することによって即座に高温の温水を供給することができる。また、熱源となるヒートポンプは、第１冷媒回路及び第２冷媒回路を有している。すなわち、複数の冷媒回路を有している。給湯にはある程度高温の温水が必要不可欠であるが、上記給湯装置では、第２蓄熱部によって、比較的高温の第２温度の温水が供給される。そのため、蓄熱に際して、第２蓄熱部は比較的高温に加熱される必要があり、それに伴って第２冷媒回路の凝縮温度は比較的高温となる。したがって、第２冷媒回路のＣＯＰは、ある程度低くなる。しかし、第１蓄熱部の蓄熱温度は比較的低温で足りるため、第１冷媒回路の冷媒凝縮温度は、第２冷媒回路の冷媒凝縮温度よりも低く設定されている。したがって、第２冷媒回路のＣＯＰは低いが、第１冷媒回路のＣＯＰは高くなる。その結果、ヒートポンプ全体の平均のＣＯＰは、熱源ヒートポンプが単一の冷媒回路で形成されている従来の装置に比べて高くなる。そのため、冷媒回路を大容量化する必要がなくなる。
【００１０】
また、熱源が複数の冷媒回路で形成されていることから、各冷媒回路の容量は比較的小さく抑えられる。そのため、圧縮機や蒸発器等を室外ユニット化する場合に、室外ユニットは小型化され、また、電気容量も低減する。したがって、一般住宅に無理なく設置することができる。
【００１１】
請求項２に記載の給湯装置は、請求項１に記載の給湯装置において、第１蓄熱部は、第１の融点を有する第１潜熱蓄熱材を備える第１蓄熱ユニット（39）からなり、第２蓄熱部は、前記第１融点よりも高温の第２融点を有する第２潜熱蓄熱材を備える第２蓄熱ユニット（37）からなり、前記第１冷媒回路（11）の凝縮器（47）は、前記第１蓄熱ユニット（39）に設けられ、前記第２冷媒回路（9）の凝縮器（41）は、前記第２蓄熱ユニット（37）に設けられ、給湯回路（13）は、前記第１蓄熱ユニット（39）に設けられた第１熱回収熱交換器（49）と、前記第２蓄熱ユニット（37）に設けられた第２熱回収熱交換器（43）とを備えているものである。
【００１２】
上記給湯装置では、第１蓄熱部及び第２蓄熱部において、潜熱蓄熱材が用いられる。したがって、蓄熱及び蓄熱の利用が効率よく行われる。各潜熱蓄熱材の融点がそれぞれの給湯取り出し温度に対応することにより、各蓄熱部において、給湯回路の水が所定の一定温度で安定して加熱されることになる。そのため、給湯回路に所定温度の温水を安定して供給することができる。
【００１３】
請求項３に記載の給湯装置は、請求項２に記載の給湯装置において、給湯回路（13）上、第２熱回収熱交換器（43）は第１熱回収熱交換器（49）の下流側に設けられているものである。
【００１４】
上記給湯装置では、給湯回路の水は、第１熱回収熱交換器、第２熱回収熱交換器の順に流れる。そのため、給湯回路の水は、加熱温度が徐々に高くなる順に加熱されることになる。したがって、給湯回路の水と蓄熱部との間の熱交換は、効率よく行われる。
【００１５】
請求項４に記載の給湯装置は、請求項１に記載の給湯装置において、第１蓄熱部は、第１温度の水を貯留する第１温水タンク（81）からなり、第２蓄熱部は、第１温度よりも高温の第２温度の水を貯留する第２温水タンク（82）からなり、前記第１冷媒回路（11）の凝縮器（47）は、前記第１温水タンク（81）に貯留される水を加熱するように構成され、前記第２冷媒回路（9）の凝縮器（41）は、前記第２温水タンク（82）に貯留される水を加熱するように構成され、給湯回路（13）には、前記第１温水タンク（81）及び前記第２温水タンク（82）のうちの一方又は両方の温水が供給されるものである。
【００１６】
上記給湯装置では、温水タンク内の水が蓄熱材として利用される。出湯の際には、温水タンクの温水が給湯回路に直接供給され、当該温水がそのまま利用される。
【発明の効果】
【００１７】
請求項１記載の発明によれば、温度レベルの異なる複数の蓄熱部と複数の冷媒回路とを備えることとしたので、処理能力の分散により、冷媒回路の大容量化を抑えることができる。したがって、電気容量の低減及び設置スペースの低減を図ることができ、一般住宅に対しても無理なく設置することが可能となる。
【００１８】
請求項２記載の発明によれば、低融点の第１潜熱蓄熱材が収容された第１蓄熱ユニットと、高融点の第２潜熱蓄熱材が収容された第２蓄熱ユニットとを備え、第１蓄熱ユニットに対して第１冷媒回路の凝縮器を設置する一方、第２蓄熱ユニットに対して第２冷媒回路の凝縮器を設置することとした。このように、融点の異なる複数の潜熱蓄熱材に対して別々の冷媒回路を設け、各冷媒回路がそれぞれ独立して蓄熱材への加熱を行うので、凝縮温度の高い第２冷媒回路はＣＯＰが高くなくても、凝縮温度の低い第１冷媒回路はＣＯＰが高くなる。その結果、ヒートポンプ全体の平均ＣＯＰを向上させることができる。
【００１９】
請求項３記載の発明によれば、給湯回路の水と蓄熱手段の蓄熱部との間の熱交換効率を向上させることができる。
【００２０】
請求項４記載の発明によれば、温水タンク内の水を蓄熱材として利用することができ、蓄熱手段の構成を簡単化することができるとともに、取り扱いを容易にすることができる。
【発明を実施するための最良の形態】
【００２１】
以下、本発明の実施の形態を図面に基づいて説明する。
【００２２】
〈実施形態１〉
図１に示すように、実施形態１に係る給湯装置（1）は、第１冷媒回路（11）及び第２冷媒回路（9）からなる熱源ヒートポンプと、第１蓄熱ユニット（39）及び第２蓄熱ユニット（37）からなる蓄熱部（7）と、給湯回路（13）とを備えている。給湯装置（1）は、温水を即座に供給することのできる給湯装置である。
【００２３】
第１冷媒回路（11）及び第２冷媒回路（9）は、いずれも蒸気圧縮式の冷媒回路である。第１冷媒回路（11）と第２冷媒回路（9）とは、互いに独立した冷媒回路である。冷媒回路（9,11）の冷媒の種類は特に限定されるものではなく、例えばＨＦＣ系又はＨＣ系の冷媒等を好適に用いることができる。
【００２４】
第１冷媒回路（11）は、圧縮機（31）、第１蓄熱熱交換器（47）、レシーバ（19）、フィルタ（21）、キャピラリチューブ（23）、膨張弁（25）、室外熱交換器（27）、及びアキュムレータ（29）が順に接続されることによって構成されている。第１冷媒回路（11）には、電磁弁（33）及びキャピラリチューブ（35）を有する除霜用回路（34）が設けられている。除霜用回路（34）の一端は圧縮機（31）の吐出側配管に接続され、その他端は室外熱交換器（27）の入口側配管に接続されている。なお、第１冷媒回路（11）の圧縮機（31）や室外熱交換器（27）等は、第１室外ユニット（5）に収納されている。
【００２５】
第２冷媒回路（9）は、圧縮機（31）、第２蓄熱熱交換器（41）、レシーバ（19）、フィルタ（21）、キャピラリチューブ（23）、膨張弁（25）、室外熱交換器（27）、及びアキュムレータ（29）が順に接続されることによって構成されている。第２冷媒回路（9）にも、第１冷媒回路（11）と同様に、電磁弁（33）及びキャピラリチューブ（35）を有する除霜用回路（34）が設けられている。第２冷媒回路（9）の圧縮機（31）や室外熱交換器（27）等は、第２室外ユニット（3）に収納されている。
【００２６】
室外熱交換器（27）は、いわゆるクロスフィン型のフィン・アンド・チューブ型熱交換器によって構成されている。ただし、室外熱交換器（27）の種類は特に限定されるものではない。
【００２７】
第１蓄熱ユニット（39）には、第１の融点を有する第１潜熱蓄熱材が収容され、第２蓄熱ユニット（37）には、第１融点よりも高温の第２融点を有する第２潜熱蓄熱材が収容されている。第１潜熱蓄熱材としては、融点が２０℃〜４０℃の蓄熱材が好ましく、第２潜熱蓄熱材としては、融点が５０℃〜９０℃の蓄熱材が好ましい。本実施形態では、第１蓄熱ユニット（39）には、第１潜熱蓄熱材として、融点が約３１℃の硫酸ナトリウム１０水和物（Ｎａ２ＳＯ４・１０Ｈ２Ｏ）が収容されている。一方、第２蓄熱ユニット（37）には、第２潜熱蓄熱材として、融点が約５５℃の酢酸ナトリウム３水和物（ＣＨ３ＣＯＯＮａ・３Ｈ２Ｏ）が収容されている。
【００２８】
第１蓄熱熱交換器（47）は、第１蓄熱ユニット（39）内において第１潜熱蓄熱材に直接又は間接的に接触するように配置されている。つまり、第１蓄熱熱交換器（47）は、冷媒の凝縮熱によって第１潜熱蓄熱材を加熱するように構成されている。第２蓄熱熱交換器（41）は、第２蓄熱ユニット（37）内において第２潜熱蓄熱材に直接又は間接的に接触するように配置されている。第２蓄熱熱交換器（41）は、冷媒の凝縮熱によって第２潜熱蓄熱材を加熱するように構成されている。
【００２９】
第１蓄熱熱交換器（47）及び第２蓄熱熱交換器（41）の熱交換器の種類は特に限定されない。例えば、第１蓄熱熱交換器（47）及び第２蓄熱熱交換器（41）は、裸管式の伝熱管であってもよく、フィンチューブ式の熱交換器等であってもよい。
【００３０】
図２に示すように、第１蓄熱ユニット（39）、第２蓄熱ユニット（37）、第１室外ユニット（5）及び第２室外ユニット（3）は順に積層され、一体的に組み立てられている。このことにより、給湯装置（1）の小型化が図られている。
【００３１】
図１に示すように、給湯回路（13）は、第１蓄熱ユニット（39）に設けられた第１熱回収熱交換器（49）と、第２蓄熱ユニット（37）に設けられた第２熱回収熱交換器（43）とを備えている。第１熱回収熱交換器（49）及び第２熱回収熱交換器（43）は、給湯回路（13）の水と蓄熱ユニット（39,37）の蓄熱材とを熱交換させる熱交換器であり、蓄熱材に直接又は間接的に接触するように配置されている。第１熱回収熱交換器（49）及び第２熱回収熱交換器（43）の熱交換器の種類も特に限定されず、裸管式の伝熱管で形成されていてもよく、フィンチューブ式の熱交換器等で形成されていてもよい。
【００３２】
また、給湯回路（13）には、第２蓄熱ユニット（37）に設けられた追い焚き用熱交換器（45）が設けられている。追い焚き用熱交換器（45）は、追い焚き用回路（15）の水と第２蓄熱ユニット（37）の第２潜熱蓄熱材とを熱交換させるものである。追い焚き用熱交換器（45）の種類も特に限定されるものではなく、裸管式の伝熱管やフィンチューブ式熱交換器等を好適に用いることができる。
【００３３】
給湯回路（13）の上流端は上水道に接続され、下流端は給水栓（53）に接続されている。給湯回路（13）には、水道水が流通する。
【００３４】
給湯回路（13）は、第１熱回収熱交換器（49）と第２熱回収熱交換器（43）とが順に接続されてなる主回路（14）と、それら熱回収熱交換器（49,43）をバイパスするバイパス回路（59）とを備えている。主回路（14）の下流端とバイパス回路（59）の下流端とは、混合弁（61）に接続されている。混合弁（61）の下流側には、サーミスタ（55）が設けられている。混合弁（61）は、主回路（14）からの高温の温水とバイパス回路（59）からの低温の水道水との混合割合を調整する弁である。本実施形態では、混合割合は、サーミスタ（55）の検出温度が所定温度になるように自動的に調整される。
【００３５】
サーミスタ（55）の下流側は、給水栓（53）に接続された給湯配管（62）と、浴槽（65）に接続された風呂注湯管（63）とに分岐している。給湯配管（62）には流量センサ（57）が設けられている。風呂注湯管（63）には、風呂注湯弁（67）が設けられている。
【００３６】
追い焚き用回路（15）の一端は浴槽（65）に接続され、他端は風呂注湯管（63）における風呂注湯弁（67）と浴槽（65）との間に接続されている。追い焚き用回路（15）には、ポンプ（69）とサーミスタ（71）とが設けられている。
【００３７】
ポンプ（69）が作動すると、浴槽（65）内の温水は追い焚き用回路（15）を流通する。そして、当該温水は追い焚き用熱交換器（45）において加熱され、再び高温の温水となって浴槽（65）に供給される。本実施形態では、追い焚き運転が開始されると、サーミスタ（71）の検出温度が所定温度になるまでポンプ（69）の運転が続けられる。
【００３８】
次に、給湯装置（1）の運転について説明する。給湯装置（1）は、蓄熱運転と給湯運転とを実行する。以下、蓄熱運転、給湯運転の順に説明する。
【００３９】
蓄熱運転時には、第１冷媒回路（11）及び第２冷媒回路（9）の運転が行われる一方、給湯回路（13）は運転を行わない。第１冷媒回路（11）及び第２冷媒回路（9）では、電磁弁（33）は閉鎖され、圧縮機（31）が駆動される。
【００４０】
第１冷媒回路（11）では、圧縮機（31）から吐出された冷媒は、第１蓄熱熱交換器（47）において凝縮し、第１蓄熱ユニット（39）内の第１潜熱蓄熱材を加熱する。これにより、第１潜熱蓄熱材が融解し、第１蓄熱ユニット（39）に温熱が蓄えられる。なお、本実施形態では、蓄熱材の融点が約３１℃なので、冷媒と蓄熱材とが約５℃の温度差で熱交換されることで、冷媒の凝縮温度は約３６℃でバランスする。
【００４１】
第１蓄熱熱交換器（47）で凝縮した冷媒は、レシーバ（19）を通過し、キャピラリチューブ（23）及び膨張弁（25）で減圧され、室外熱交換器（27）で蒸発した後、アキュムレータ（29）を経て圧縮機（31）に吸入される。そして、圧縮機（31）に吸入された冷媒は再び吐出され、上記循環動作を繰り返す。
【００４２】
第２冷媒回路（9）では、圧縮機（31）から吐出された冷媒は、第２蓄熱熱交換器（41）において凝縮し、第２蓄熱ユニット（37）内の第２潜熱蓄熱材を加熱する。これにより、第２潜熱蓄熱材が融解し、第２蓄熱ユニット（37）に温熱が蓄えられる。なお、本実施形態では、蓄熱材の融点が約５５℃なので、冷媒と蓄熱材とが約５℃の温度差で熱交換されることで、冷媒の凝縮温度は約６０℃でバランスする。
【００４３】
第２蓄熱熱交換器（41）で凝縮した冷媒は、レシーバ（19）を通過し、キャピラリチューブ（23）及び膨張弁（25）で減圧され、室外熱交換器（27）で蒸発した後、アキュムレータ（29）を経て圧縮機（31）に吸入される。そして、圧縮機（31）に吸入された冷媒は再び吐出され、上記循環動作を繰り返す。
【００４４】
給湯運転は、主として蓄熱ユニット（39,37）を熱源とする運転である。給湯運転時には、給湯回路（13）の運転が行われる。また、本実施形態では、給湯運転時にも第１冷媒回路（11）及び第２冷媒回路（9）の運転が行われる。すなわち、第１冷媒回路（11）及び第２冷媒回路（9）も熱源の一部として利用される。
【００４５】
第１冷媒回路（11）及び第２冷媒回路（9）の運転動作は蓄熱運転時と同様であるので、それらの説明は省略する。
【００４６】
給湯回路（13）では、給水栓（53）又は風呂注湯弁（67）が開放され、上水道から搬送された水道水は給湯回路（13）を流通し、蓄熱ユニット（39,37）で加熱され、温水となって給水される。
【００４７】
具体的には、上水道から給湯回路（13）へ流入した水道水は、混合弁（61）のバイパス回路（59）側が開放されている場合には主回路（14）とバイパス回路（59）とに分流し、混合弁（61）のバイパス回路（59）側が閉鎖されている場合には主回路（14）のみに流入する。
【００４８】
主回路（14）に流入した水は、第１蓄熱ユニット（39）の第１熱回収熱交換器（49）に流入し、第１潜熱蓄熱材によって加熱される。第１潜熱蓄熱材の融点は約３１℃であり、上記水は一定温度で安定して加熱され、約３０℃以下の低温の温水となる。
【００４９】
次に、上記低温水は、第２蓄熱ユニット（37）の第２熱回収熱交換器（43）に流入し、第２潜熱蓄熱材によって加熱される。第２潜熱蓄熱材の融点は約５５℃であり、上記温水は一定温度で安定して加熱され、５０℃程度の高温の温水となる。
【００５０】
そして、上記高温水は、給湯配管（62）又は風呂注湯管（63）を通じて、給水栓（53）又は浴槽（65）に供給される。なお、混合弁（61）における混合が行われる場合には、上記高温水はバイパス回路（59）からの低温の水道水と混合され、所定温度の温水となって給水栓（53）又は浴槽（65）に供給される。つまり、混合弁（61）を制御することによって、バイパス回路（59）を通じて供給される水道水の水量が調整され、給水栓（53）又は浴槽（65）に供給される温水の温度が調節される。
【００５１】
給湯運転時において、浴槽（65）内の温水の温度が低下すると、以下の追い焚き運転が行われる。追い焚き運転は、浴槽（65）の温水を再加熱し、温水の温度を上昇させる運転である。
【００５２】
追い焚き運転時には、追い焚き用回路（15）のポンプ（69）が駆動される。すると、浴槽（65）の温水が追い焚き用回路（15）に取り込まれ、当該温水は第２蓄熱ユニット（37）内の追い焚き用熱交換器（45）へ導入される。追い焚き用熱交換器（45）に導入された温水は、追い焚き用熱交換器（45）を介して、第２潜熱蓄熱材によって加熱される。第２潜熱蓄熱材は融点が高いため、上記温水は加熱されることによって高温の温水となる。そして、この高温水は追い焚き用熱交換器（45）を流出し、浴槽（65）に供給される。このように浴槽（65）と追い焚き用熱交換器（45）との間で温水が循環することにより、浴槽（65）内の温水の温度は所定温度にまで上昇する。
【００５３】
なお、本給湯装置（1）では、給湯運転時に冷媒回路（11,9）を熱源の一部として利用することから、熱回収熱交換器（49,43）内を流れる水と蓄熱熱交換器（47,41）内を流れる冷媒とを効率よく熱交換させることが望ましい。そのため、第１熱回収熱交換器（49）と第１蓄熱熱交換器（47）、及び第２蓄熱熱交換器（41）と第２蓄熱熱交換器（41）を、それぞれ直接接触させるようにしてもよい。このことにより、熱回収熱交換器（49,43）内を流れる水を蓄熱熱交換器（47,41）内の冷媒によって直接的に加熱することができ、熱交換効率を向上させることができる。
【００５４】
以上のように、本実施形態によれば、それぞれ融点の異なる潜熱蓄熱材を有する第１蓄熱ユニット（39）及び第２蓄熱ユニット（37）を備え、それらに応じて、凝縮温度の低い第１冷媒回路（11）と凝縮温度の高い第２冷媒回路（9）とを設けることとした。したがって、図３に示すように、蓄熱時の第２冷媒回路（9）のＣＯＰは約４程度とやや低いものの、第１冷媒回路（11）のＣＯＰは約６程度であり、高い値を示す。そのため、第１冷媒回路（11）及び第２冷媒回路（9）の全体の平均では、ＣＯＰは約５程度となり、熱源を単一の冷媒回路で構成する場合に比べて高い値を示す。
【００５５】
したがって、本実施形態によれば、冷媒回路（11,9）を大容量化する必要はない。そのため、電気容量を低減することができる。また、室外ユニット（5,3）を大型化する必要がないので、設置スペースを小さく抑えることができる。したがって、一般住宅に対しても無理なく設置することが可能となる。
【００５６】
水道水の加熱は、第１熱回収熱交換器（49）及び第２熱回収熱交換器（43）において行われるが、給湯回路（13）において、第２熱回収熱交換器（43）は第１熱回収熱交換器（49）の下流側に設けられている。第２熱回収熱交換器（43）の熱交換温度は第１熱回収熱交換器（49）よりも高いため、水道水は、徐々に熱交換温度が高くなるような順序で加熱されることになる。したがって、水道水は高効率に加熱され、蓄熱は効率よく取り出される。
【００５７】
なお、第１蓄熱ユニット（39）又は第２蓄熱ユニット（37）に収容される潜熱蓄熱材は、前述の蓄熱材に限定されず、他の潜熱蓄熱材であってもよい。例えば、他の水和物、パラフィン、糖アルコール等を用いてもよい。また、第１潜熱蓄熱材及び第２潜熱蓄熱材の融点は、前述の値に限定されるものではない。
【００５８】
〈実施形態２〉
図４に示すように、実施形態２に係る給湯装置（1）は、実施形態１において、第１蓄熱ユニット（39）及び第２蓄熱ユニット（37）の代わりに、第１温水タンク（81）及び第２温水タンク（82）を設けたものである。本実施形態では、温水タンク（81,82）内の水自体が蓄熱材として利用される。
【００５９】
本実施形態では、第１蓄熱熱交換器（47）は、液−液熱交換器で構成されている。第１蓄熱熱交換器（47）は第１水回路（11A）に接続されており、第１冷媒回路（11）の冷媒と第１水回路（11A）とを熱交換させる。第１水回路（11A）には、第１温水タンク（81）とポンプ（48）とが設けられている。
【００６０】
第２蓄熱熱交換器（41）も液−液熱交換器で構成されている。第２蓄熱熱交換器（41）は第２水回路（9A）に接続されており、第２冷媒回路（9）の冷媒と第２水回路（9A）の水とを熱交換させる。第２水回路（9A）には、第２温水タンク（82）とポンプ（42）とが設けられている。
【００６１】
本実施形態では、蓄熱運転時には、第１冷媒回路（11）及び第２冷媒回路（9）が運転を行い、第１蓄熱熱交換器（47）及び第２蓄熱熱交換器（41）において冷媒が凝縮する。なお、第１冷媒回路（11）の冷媒凝縮温度は約８５℃程度、第２冷媒回路（9）の冷媒凝縮温度は約４５℃程度である。
【００６２】
第１水回路（11A）ではポンプ（48）が駆動し、第１温水タンク（81）内の下部に位置する水が第１水回路（11A）に流出する。この水は、第１蓄熱熱交換器（47）において冷媒に加熱され、約４０℃の温水となって第１温水タンク（81）内の上部に流入する。
【００６３】
第２水回路（9A）ではポンプ（42）が駆動し、第２温水タンク（82）内の下部に位置する水が第２水回路（9A）に流出する。この水は、第２蓄熱熱交換器（41）において冷媒に加熱され、約８０℃の温水となって第２温水タンク（82）内の上部に流入する。
【００６４】
その結果、蓄熱運転により、第１温水タンク（81）には約４０℃程度の温水が蓄えられ、第２温水タンク（82）には約８０℃程度の温水が蓄えられる。
【００６５】
給湯運転時には、第１温水タンク（81）及び第２温水タンク（82）に蓄えられた温水が供給される。なお、第１温水タンク（81）からの温水と第２温水タンク（82）からの温水とは、混合弁（61）において混合され、所定温度の温水に調整されてから給水栓（53）又は浴槽（65）に供給される。
【００６６】
本実施形態においても、給湯運転時には第１冷媒回路（11）及び第２冷媒回路（9）の運転が行われる。また、水回路（11A,9A）のポンプ（48,42）も運転を行う。したがって、温水タンク（81,82）の水の温度が低下しても、温水タンク（81,82）の水は、水回路（11A,9A）を流れることによって冷媒回路（11,9）の蓄熱熱交換器（47,41）で加熱される。そのため、給湯回路（13）を流れる水は、所定温度の温水となって給水栓（53）又は浴槽（65）に供給される。つまり、本実施形態においても、給湯と蓄熱とが同時に実行される。
【産業上の利用可能性】
【００６７】
以上説明したように、本発明は、給湯装置について有用である。
【図面の簡単な説明】
【００６８】
【図１】実施形態１に係る給湯装置の概略構成図である。
【図２】給湯装置の正面図である。
【図３】第１冷媒回路及び第２冷媒回路における冷媒のモリエル線図である。
【図４】実施形態２に係る給湯装置の概略構成図である。
【符号の説明】
【００６９】
（1）     給湯装置
（3）     第２室外ユニット
（5）     第１室外ユニット
（7）     蓄熱部（蓄熱手段）
（9）     第２冷媒回路
（11）    第１冷媒回路
（13）    給湯回路
（37）    第２蓄熱ユニット
（39）    第１蓄熱ユニット
（41）    第２蓄熱熱交換器（凝縮器）
（43）    第２熱回収熱交換器
（47）    第１蓄熱熱交換器（凝縮器）
（49）    第１熱回収熱交換器
【図１】
2006292365.tif 000003
【図２】
2006292365.tif 000004
【図３】
2006292365.tif 000005
【図４】
2006292365.tif 000006
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
圧縮機と蓄熱熱交換器と膨張弁と室外熱交換器が順に接続された冷媒回路を２回路有し、温水タンクと混合弁とポンプを有する給湯回路を具備した給湯装置であって、
上記２つの冷媒回路と温水タンクとをそれぞれユニットに分割して構成していることを特徴とする給湯装置。
【請求項２】
請求項１において、
上記各ユニットは、一方の冷媒回路を収納したユニットと、他方の冷媒回路を収納したユニットと、温水タンクを収納したユニットとで構成したことを特徴とする給湯装置。
【請求項３】
請求項２において、
上記各ユニットは、一体的に組み立てられて設置されていることを特徴とする給湯装
置。
【請求項４】
請求項３において、
上記各ユニットは、積層されて設置されていることを特徴とする給湯装置。
【請求項５】
請求項４において、
上記温水タンクのユニットは、最下段に設置されていることを特徴とする給湯装置。
【手続補正２】
【補正対象書類名】明細書
【補正対象項目名】全文
【補正方法】変更
【補正の内容】
【発明の詳細な説明】
【技術分野】
【０００１】
本発明は、給湯装置に関する。
【背景技術】
【０００２】
従来より、特許文献１及び２に開示されているように、熱源としてヒートポンプ式の冷媒回路を利用する給湯装置が知られている。ヒートポンプを熱源とする給湯装置は、ＣＯＰが約３程度と高いため、ガスや電気ヒータを熱源とする給湯装置と異なり、省エネルギー運転が可能である。
【特許文献１】特開平９−４９６６８号公報
【特許文献２】特開平１０−１１１０１８号公報
【発明の開示】
【発明が解決しようとする課題】
【０００３】
しかし、従来の給湯装置では、一般住宅に設置する際に設置場所の制約が多く、また、スペースの制約から設置が不可能な場合もある。
【０００４】
本発明は、かかる点に鑑みてなされたものであり、その目的とするところは、ヒートポンプを熱源として利用する給湯装置において、設置スペースの低減を図ることにある。
【課題を解決するための手段】
【０００５】
第１の発明は、圧縮機と蓄熱熱交換器と膨張弁と室外熱交換器が順に接続された冷媒回路を２回路有し、温水タンクと混合弁とポンプを有する給湯回路を具備した給湯装置であって、上記２つの冷媒回路と温水タンクとをそれぞれユニットに分割して構成している。
【０００６】
第２の発明は、第１の発明において、上記各ユニットは、一方の冷媒回路を収納したユニットと、他方の冷媒回路を収納したユニットと、温水タンクを収納したユニットとで構成した。
【０００７】
第３の発明は、第２の発明において、上記各ユニットは、一体的に組み立てられて設置されている。
【０００８】
第４の発明は、第３の発明において、上記各ユニットは、積層されて設置されている。
【０００９】
第５の発明は、第４の発明において、上記温水タンクのユニットは、最下段に設置されている。
【発明の効果】
【００１０】
本発明によれば、設置スペースの低減を図ることができ、一般住宅に対しても無理なく設置することが可能となる。
【発明を実施するための最良の形態】
【００１１】
以下、本発明の実施の形態を図面に基づいて説明する。
【００１２】
〈実施形態１〉
図１に示すように、実施形態１に係る給湯装置（1）は、第１冷媒回路（11）及び第２冷媒回路（9）からなる熱源ヒートポンプと、第１蓄熱ユニット（39）及び第２蓄熱ユニット（37）からなる蓄熱部（7）と、給湯回路（13）とを備えている。給湯装置（1）は、温水を即座に供給することのできる給湯装置である。
【００１３】
第１冷媒回路（11）及び第２冷媒回路（9）は、いずれも蒸気圧縮式の冷媒回路である。第１冷媒回路（11）と第２冷媒回路（9）とは、互いに独立した冷媒回路である。冷媒回路（9,11）の冷媒の種類は特に限定されるものではなく、例えばＨＦＣ系又はＨＣ系の冷媒等を好適に用いることができる。
【００１４】
第１冷媒回路（11）は、圧縮機（31）、第１蓄熱熱交換器（47）、レシーバ（19）、フィルタ（21）、キャピラリチューブ（23）、膨張弁（25）、室外熱交換器（27）、及びアキュムレータ（29）が順に接続されることによって構成されている。第１冷媒回路（11）には、電磁弁（33）及びキャピラリチューブ（35）を有する除霜用回路（34）が設けられている。除霜用回路（34）の一端は圧縮機（31）の吐出側配管に接続され、その他端は室外熱交換器（27）の入口側配管に接続されている。なお、第１冷媒回路（11）の圧縮機（31）や室外熱交換器（27）等は、第１室外ユニット（5）に収納されている。
【００１５】
第２冷媒回路（9）は、圧縮機（31）、第２蓄熱熱交換器（41）、レシーバ（19）、フィルタ（21）、キャピラリチューブ（23）、膨張弁（25）、室外熱交換器（27）、及びアキュムレータ（29）が順に接続されることによって構成されている。第２冷媒回路（9）にも、第１冷媒回路（11）と同様に、電磁弁（33）及びキャピラリチューブ（35）を有する除霜用回路（34）が設けられている。第２冷媒回路（9）の圧縮機（31）や室外熱交換器（27）等は、第２室外ユニット（3）に収納されている。
【００１６】
室外熱交換器（27）は、いわゆるクロスフィン型のフィン・アンド・チューブ型熱交換器によって構成されている。ただし、室外熱交換器（27）の種類は特に限定されるものではない。
【００１７】
第１蓄熱ユニット（39）には、第１の融点を有する第１潜熱蓄熱材が収容され、第２蓄熱ユニット（37）には、第１融点よりも高温の第２融点を有する第２潜熱蓄熱材が収容されている。第１潜熱蓄熱材としては、融点が２０℃〜４０℃の蓄熱材が好ましく、第２潜熱蓄熱材としては、融点が５０℃〜９０℃の蓄熱材が好ましい。本実施形態では、第１蓄熱ユニット（39）には、第１潜熱蓄熱材として、融点が約３１℃の硫酸ナトリウム１０水和物（Ｎａ２ＳＯ４・１０Ｈ２Ｏ）が収容されている。一方、第２蓄熱ユニット（37）には、第２潜熱蓄熱材として、融点が約５５℃の酢酸ナトリウム３水和物（ＣＨ３ＣＯＯＮａ・３Ｈ２Ｏ）が収容されている。
【００１８】
第１蓄熱熱交換器（47）は、第１蓄熱ユニット（39）内において第１潜熱蓄熱材に直接又は間接的に接触するように配置されている。つまり、第１蓄熱熱交換器（47）は、冷媒の凝縮熱によって第１潜熱蓄熱材を加熱するように構成されている。第２蓄熱熱交換器（41）は、第２蓄熱ユニット（37）内において第２潜熱蓄熱材に直接又は間接的に接触するように配置されている。第２蓄熱熱交換器（41）は、冷媒の凝縮熱によって第２潜熱蓄熱材を加熱するように構成されている。
【００１９】
第１蓄熱熱交換器（47）及び第２蓄熱熱交換器（41）の熱交換器の種類は特に限定されない。例えば、第１蓄熱熱交換器（47）及び第２蓄熱熱交換器（41）は、裸管式の伝熱管であってもよく、フィンチューブ式の熱交換器等であってもよい。
【００２０】
図２に示すように、第１蓄熱ユニット（39）、第２蓄熱ユニット（37）、第１室外ユニット（5）及び第２室外ユニット（3）は順に積層され、一体的に組み立てられている。このことにより、給湯装置（1）の小型化が図られている。
【００２１】
図１に示すように、給湯回路（13）は、第１蓄熱ユニット（39）に設けられた第１熱回収熱交換器（49）と、第２蓄熱ユニット（37）に設けられた第２熱回収熱交換器（43）とを備えている。第１熱回収熱交換器（49）及び第２熱回収熱交換器（43）は、給湯回路（13）の水と蓄熱ユニット（39,37）の蓄熱材とを熱交換させる熱交換器であり、蓄熱材に直接又は間接的に接触するように配置されている。第１熱回収熱交換器（49）及び第２熱回収熱交換器（43）の熱交換器の種類も特に限定されず、裸管式の伝熱管で形成されていてもよく、フィンチューブ式の熱交換器等で形成されていてもよい。
【００２２】
また、給湯回路（13）には、第２蓄熱ユニット（37）に設けられた追い焚き用熱交換器（45）が設けられている。追い焚き用熱交換器（45）は、追い焚き用回路（15）の水と第２蓄熱ユニット（37）の第２潜熱蓄熱材とを熱交換させるものである。追い焚き用熱交換器（45）の種類も特に限定されるものではなく、裸管式の伝熱管やフィンチューブ式熱交換器等を好適に用いることができる。
【００２３】
給湯回路（13）の上流端は上水道に接続され、下流端は給水栓（53）に接続されている。給湯回路（13）には、水道水が流通する。
【００２４】
給湯回路（13）は、第１熱回収熱交換器（49）と第２熱回収熱交換器（43）とが順に接続されてなる主回路（14）と、それら熱回収熱交換器（49,43）をバイパスするバイパス回路（59）とを備えている。主回路（14）の下流端とバイパス回路（59）の下流端とは、混合弁（61）に接続されている。混合弁（61）の下流側には、サーミスタ（55）が設けられている。混合弁（61）は、主回路（14）からの高温の温水とバイパス回路（59）からの低温の水道水との混合割合を調整する弁である。本実施形態では、混合割合は、サーミスタ（55）の検出温度が所定温度になるように自動的に調整される。
【００２５】
サーミスタ（55）の下流側は、給水栓（53）に接続された給湯配管（62）と、浴槽（65）に接続された風呂注湯管（63）とに分岐している。給湯配管（62）には流量センサ（57）が設けられている。風呂注湯管（63）には、風呂注湯弁（67）が設けられている。
【００２６】
追い焚き用回路（15）の一端は浴槽（65）に接続され、他端は風呂注湯管（63）における風呂注湯弁（67）と浴槽（65）との間に接続されている。追い焚き用回路（15）には、ポンプ（69）とサーミスタ（71）とが設けられている。
【００２７】
ポンプ（69）が作動すると、浴槽（65）内の温水は追い焚き用回路（15）を流通する。そして、当該温水は追い焚き用熱交換器（45）において加熱され、再び高温の温水となって浴槽（65）に供給される。本実施形態では、追い焚き運転が開始されると、サーミスタ（71）の検出温度が所定温度になるまでポンプ（69）の運転が続けられる。
【００２８】
次に、給湯装置（1）の運転について説明する。給湯装置（1）は、蓄熱運転と給湯運転とを実行する。以下、蓄熱運転、給湯運転の順に説明する。
【００２９】
蓄熱運転時には、第１冷媒回路（11）及び第２冷媒回路（9）の運転が行われる一方、給湯回路（13）は運転を行わない。第１冷媒回路（11）及び第２冷媒回路（9）では、電磁弁（33）は閉鎖され、圧縮機（31）が駆動される。
【００３０】
第１冷媒回路（11）では、圧縮機（31）から吐出された冷媒は、第１蓄熱熱交換器（47）において凝縮し、第１蓄熱ユニット（39）内の第１潜熱蓄熱材を加熱する。これにより、第１潜熱蓄熱材が融解し、第１蓄熱ユニット（39）に温熱が蓄えられる。なお、本実施形態では、蓄熱材の融点が約３１℃なので、冷媒と蓄熱材とが約５℃の温度差で熱交換されることで、冷媒の凝縮温度は約３６℃でバランスする。
【００３１】
第１蓄熱熱交換器（47）で凝縮した冷媒は、レシーバ（19）を通過し、キャピラリチューブ（23）及び膨張弁（25）で減圧され、室外熱交換器（27）で蒸発した後、アキュムレータ（29）を経て圧縮機（31）に吸入される。そして、圧縮機（31）に吸入された冷媒は再び吐出され、上記循環動作を繰り返す。
【００３２】
第２冷媒回路（9）では、圧縮機（31）から吐出された冷媒は、第２蓄熱熱交換器（41）において凝縮し、第２蓄熱ユニット（37）内の第２潜熱蓄熱材を加熱する。これにより、第２潜熱蓄熱材が融解し、第２蓄熱ユニット（37）に温熱が蓄えられる。なお、本実施形態では、蓄熱材の融点が約５５℃なので、冷媒と蓄熱材とが約５℃の温度差で熱交換されることで、冷媒の凝縮温度は約６０℃でバランスする。
【００３３】
第２蓄熱熱交換器（41）で凝縮した冷媒は、レシーバ（19）を通過し、キャピラリチューブ（23）及び膨張弁（25）で減圧され、室外熱交換器（27）で蒸発した後、アキュムレータ（29）を経て圧縮機（31）に吸入される。そして、圧縮機（31）に吸入された冷媒は再び吐出され、上記循環動作を繰り返す。
【００３４】
給湯運転は、主として蓄熱ユニット（39,37）を熱源とする運転である。給湯運転時には、給湯回路（13）の運転が行われる。また、本実施形態では、給湯運転時にも第１冷媒回路（11）及び第２冷媒回路（9）の運転が行われる。すなわち、第１冷媒回路（11）及び第２冷媒回路（9）も熱源の一部として利用される。
【００３５】
第１冷媒回路（11）及び第２冷媒回路（9）の運転動作は蓄熱運転時と同様であるので、それらの説明は省略する。
【００３６】
給湯回路（13）では、給水栓（53）又は風呂注湯弁（67）が開放され、上水道から搬送された水道水は給湯回路（13）を流通し、蓄熱ユニット（39,37）で加熱され、温水となって給水される。
【００３７】
具体的には、上水道から給湯回路（13）へ流入した水道水は、混合弁（61）のバイパス回路（59）側が開放されている場合には主回路（14）とバイパス回路（59）とに分流し、混合弁（61）のバイパス回路（59）側が閉鎖されている場合には主回路（14）のみに流入する。
【００３８】
主回路（14）に流入した水は、第１蓄熱ユニット（39）の第１熱回収熱交換器（49）に流入し、第１潜熱蓄熱材によって加熱される。第１潜熱蓄熱材の融点は約３１℃であり、上記水は一定温度で安定して加熱され、約３０℃以下の低温の温水となる。
【００３９】
次に、上記低温水は、第２蓄熱ユニット（37）の第２熱回収熱交換器（43）に流入し、第２潜熱蓄熱材によって加熱される。第２潜熱蓄熱材の融点は約５５℃であり、上記温水は一定温度で安定して加熱され、５０℃程度の高温の温水となる。
【００４０】
そして、上記高温水は、給湯配管（62）又は風呂注湯管（63）を通じて、給水栓（53）又は浴槽（65）に供給される。なお、混合弁（61）における混合が行われる場合には、上記高温水はバイパス回路（59）からの低温の水道水と混合され、所定温度の温水となって給水栓（53）又は浴槽（65）に供給される。つまり、混合弁（61）を制御することによって、バイパス回路（59）を通じて供給される水道水の水量が調整され、給水栓（53）又は浴槽（65）に供給される温水の温度が調節される。
【００４１】
給湯運転時において、浴槽（65）内の温水の温度が低下すると、以下の追い焚き運転が行われる。追い焚き運転は、浴槽（65）の温水を再加熱し、温水の温度を上昇させる運転である。
【００４２】
追い焚き運転時には、追い焚き用回路（15）のポンプ（69）が駆動される。すると、浴槽（65）の温水が追い焚き用回路（15）に取り込まれ、当該温水は第２蓄熱ユニット（37）内の追い焚き用熱交換器（45）へ導入される。追い焚き用熱交換器（45）に導入された温水は、追い焚き用熱交換器（45）を介して、第２潜熱蓄熱材によって加熱される。第２潜熱蓄熱材は融点が高いため、上記温水は加熱されることによって高温の温水となる。そして、この高温水は追い焚き用熱交換器（45）を流出し、浴槽（65）に供給される。このように浴槽（65）と追い焚き用熱交換器（45）との間で温水が循環することにより、浴槽（65）内の温水の温度は所定温度にまで上昇する。
【００４３】
なお、本給湯装置（1）では、給湯運転時に冷媒回路（11,9）を熱源の一部として利用することから、熱回収熱交換器（49,43）内を流れる水と蓄熱熱交換器（47,41）内を流れる冷媒とを効率よく熱交換させることが望ましい。そのため、第１熱回収熱交換器（49）と第１蓄熱熱交換器（47）、及び第２蓄熱熱交換器（41）と第２蓄熱熱交換器（41）を、それぞれ直接接触させるようにしてもよい。このことにより、熱回収熱交換器（49,43）内を流れる水を蓄熱熱交換器（47,41）内の冷媒によって直接的に加熱することができ、熱交換効率を向上させることができる。
【００４４】
以上のように、本実施形態によれば、それぞれ融点の異なる潜熱蓄熱材を有する第１蓄熱ユニット（39）及び第２蓄熱ユニット（37）を備え、それらに応じて、凝縮温度の低い第１冷媒回路（11）と凝縮温度の高い第２冷媒回路（9）とを設けることとした。したがって、図３に示すように、蓄熱時の第２冷媒回路（9）のＣＯＰは約４程度とやや低いものの、第１冷媒回路（11）のＣＯＰは約６程度であり、高い値を示す。そのため、第１冷媒回路（11）及び第２冷媒回路（9）の全体の平均では、ＣＯＰは約５程度となり、熱源を単一の冷媒回路で構成する場合に比べて高い値を示す。
【００４５】
したがって、本実施形態によれば、冷媒回路（11,9）を大容量化する必要はない。そのため、電気容量を低減することができる。また、室外ユニット（5,3）を大型化する必要がないので、設置スペースを小さく抑えることができる。したがって、一般住宅に対しても無理なく設置することが可能となる。
【００４６】
水道水の加熱は、第１熱回収熱交換器（49）及び第２熱回収熱交換器（43）において行われるが、給湯回路（13）において、第２熱回収熱交換器（43）は第１熱回収熱交換器（49）の下流側に設けられている。第２熱回収熱交換器（43）の熱交換温度は第１熱回収熱交換器（49）よりも高いため、水道水は、徐々に熱交換温度が高くなるような順序で加熱されることになる。したがって、水道水は高効率に加熱され、蓄熱は効率よく取り出される。
【００４７】
なお、第１蓄熱ユニット（39）又は第２蓄熱ユニット（37）に収容される潜熱蓄熱材は、前述の蓄熱材に限定されず、他の潜熱蓄熱材であってもよい。例えば、他の水和物、パラフィン、糖アルコール等を用いてもよい。また、第１潜熱蓄熱材及び第２潜熱蓄熱材の融点は、前述の値に限定されるものではない。
【００４８】
〈実施形態２〉
図４に示すように、実施形態２に係る給湯装置（1）は、実施形態１において、第１蓄熱ユニット（39）及び第２蓄熱ユニット（37）の代わりに、第１温水タンク（81）及び第２温水タンク（82）を設けたものである。本実施形態では、温水タンク（81,82）内の水自体が蓄熱材として利用される。
【００４９】
本実施形態では、第１蓄熱熱交換器（47）は、液−液熱交換器で構成されている。第１蓄熱熱交換器（47）は第１水回路（11A）に接続されており、第１冷媒回路（11）の冷媒と第１水回路（11A）とを熱交換させる。第１水回路（11A）には、第１温水タンク（81）とポンプ（48）とが設けられている。
【００５０】
第２蓄熱熱交換器（41）も液−液熱交換器で構成されている。第２蓄熱熱交換器（41）は第２水回路（9A）に接続されており、第２冷媒回路（9）の冷媒と第２水回路（9A）の水とを熱交換させる。第２水回路（9A）には、第２温水タンク（82）とポンプ（42）とが設けられている。
【００５１】
本実施形態では、蓄熱運転時には、第１冷媒回路（11）及び第２冷媒回路（9）が運転を行い、第１蓄熱熱交換器（47）及び第２蓄熱熱交換器（41）において冷媒が凝縮する。なお、第１冷媒回路（11）の冷媒凝縮温度は約８５℃程度、第２冷媒回路（9）の冷媒凝縮温度は約４５℃程度である。
【００５２】
第１水回路（11A）ではポンプ（48）が駆動し、第１温水タンク（81）内の下部に位置する水が第１水回路（11A）に流出する。この水は、第１蓄熱熱交換器（47）において冷媒に加熱され、約４０℃の温水となって第１温水タンク（81）内の上部に流入する。
【００５３】
第２水回路（9A）ではポンプ（42）が駆動し、第２温水タンク（82）内の下部に位置する水が第２水回路（9A）に流出する。この水は、第２蓄熱熱交換器（41）において冷媒に加熱され、約８０℃の温水となって第２温水タンク（82）内の上部に流入する。
【００５４】
その結果、蓄熱運転により、第１温水タンク（81）には約４０℃程度の温水が蓄えられ、第２温水タンク（82）には約８０℃程度の温水が蓄えられる。
【００５５】
給湯運転時には、第１温水タンク（81）及び第２温水タンク（82）に蓄えられた温水が供給される。なお、第１温水タンク（81）からの温水と第２温水タンク（82）からの温水とは、混合弁（61）において混合され、所定温度の温水に調整されてから給水栓（53）又は浴槽（65）に供給される。
【００５６】
本実施形態においても、給湯運転時には第１冷媒回路（11）及び第２冷媒回路（9）の運転が行われる。また、水回路（11A,9A）のポンプ（48,42）も運転を行う。したがって、温水タンク（81,82）の水の温度が低下しても、温水タンク（81,82）の水は、水回路（11A,9A）を流れることによって冷媒回路（11,9）の蓄熱熱交換器（47,41）で加熱される。そのため、給湯回路（13）を流れる水は、所定温度の温水となって給水栓（53）又は浴槽（65）に供給される。つまり、本実施形態においても、給湯と蓄熱とが同時に実行される。
【産業上の利用可能性】
【００５７】
以上説明したように、本発明は、給湯装置について有用である。
【図面の簡単な説明】
【００５８】
【図１】実施形態１に係る給湯装置の概略構成図である。
【図２】給湯装置の正面図である。
【図３】第１冷媒回路及び第２冷媒回路における冷媒のモリエル線図である。
【図４】実施形態２に係る給湯装置の概略構成図である。
【符号の説明】
【００５９】
（1）     給湯装置
（3）     第２室外ユニット
（5）     第１室外ユニット
（7）     蓄熱部（蓄熱手段）
（9）     第２冷媒回路
（11）    第１冷媒回路
（13）    給湯回路
（37）    第２蓄熱ユニット
（39）    第１蓄熱ユニット
（41）    第２蓄熱熱交換器（凝縮器）
（43）    第２熱回収熱交換器
（47）    第１蓄熱熱交換器（凝縮器）
（49）    第１熱回収熱交換器